(57)【要約】【課題】  電話システムの共通設定情報が更新された場合、その時点で他の機器と通信できなかった機器において、早期にかつ特別な操作無しに、共通設定情報を更新させる。【解決手段】  電話システムにおいて、子機２２０，２４０，２５０は親機１００と通信可能であるが、子機２１０，２３０は親機１００と通信できない状態であるときに、６台目の子機である子機２６０が追加されると、親機１００で共通設定情報が更新された後、子機２２０，２４０，２５０，２６０で共通設定情報が更新される。その後、子機２１０，２３０は、それぞれ、親機１００および／または子機２２０，２４０，２５０，２６０と通信可能な状態となると、親機−子機間または子機−子機間の通信の際に共通設定情報も送受信されるため、自機に記憶されるものより後に更新された共通設定情報を受信でき、これにより、自機に記憶された共通設定情報をより後に更新されたものに更新できる。【選択図】        図４
2005318424.tif 000002
【特許請求の範囲】
【請求項１】
電話機能を有する複数の機器を備える電話システムであって、
各前記機器は、前記電話システムにおいて前記機器を識別する情報を含む共通設定情報を記憶する共通設定情報記憶部を含み、
前記共通設定情報は、当該共通設定情報が更新された時刻または回数を特定する情報である更新情報を含み、
各前記機器は、
前記電話システム内の他の機器に情報を送信する際に、前記共通設定情報を添付して送信する情報送信部と、
前記共通設定情報を受信する受信部と、
前記受信部が前記共通設定情報を受信した場合、前記受信部で受信した前記共通設定情報と前記共通設定情報記憶部に記憶された前記共通設定情報の中で、含まれる前記更新情報を比較することによりどちらが後に更新されたものであるかを判断する判断部と、
前記判断部が前記受信部で受信した前記共通設定情報の方が後に更新されたものであると判断した場合、前記共通設定情報記憶部に記憶された前記共通設定情報を、前記受信部で受信した前記共通設定情報に更新する情報更新部とをさらに含む、電話システム。
【請求項２】
前記情報送信部は、前記判断部が前記共通設定情報記憶部に記憶された前記共通設定情報の方が後に更新されたと判断した場合、前記受信部が前記共通設定情報を受信した相手の機器に、前記共通設定情報記憶部に記憶された前記共通設定情報を送信する、請求項１に記載の電話システム。
【請求項３】
前記情報送信部は、前記電話システム内の他の機器の呼び出しの際に、呼び出す側の機器を識別する情報および呼び出される側の機器を識別する情報に、前記共通設定情報を添付して、送信する、請求項１または請求項２に記載の電話システム。
【請求項４】
前記複数の機器は、親機と子機からなり、
前記親機は、前記共通設定情報を更新する情報更新部を含む、請求項１〜請求項３のいずれかに記載の電話システム。
【請求項５】
前記情報更新部は、前記電話システムに新たな子機が追加される際に、当該新たな子機を識別する情報を追加するように、前記共通設定情報を更新する、請求項４に記載の電話システム。
【請求項６】
電話機能を有する複数の機器を備える電話システムの制御方法であって、
各前記機器に、前記電話システムにおいて前記機器を識別する情報を含む情報であって、当該情報が更新された時刻または回数を特定する情報である更新情報を含む情報である、共通設定情報を記憶させるステップと、
各前記機器に、前記共通設定情報を受信させるステップと、
各前記機器に、受信させた前記共通設定情報と記憶させた前記共通設定情報の中で、含まれる前記更新情報を比較させることによりどちらが後に更新されたものであるかを判断させるステップと、
各前記機器に、受信させた前記共通設定情報の方が後に更新されたものであると判断した場合、記憶させた前記共通設定情報を、受信させた前記共通設定情報に更新させるステップとを備える、電話システムの制御方法。
【請求項７】
電話システムを構成し、当該電話システムを構成する他の機器と通信可能な情報通信機器であって、
前記電話システムにおいて前記機器を識別する情報を含む共通設定情報を記憶する共通設定情報記憶部を備え、
前記共通設定情報は、当該共通設定情報が更新された時刻または回数を特定する情報である更新情報を含み、
前記電話システム内の他の機器に情報を送信する際に、前記共通設定情報を添付して送信する情報送信部と、
前記共通設定情報を受信する受信部と、
前記受信部が前記共通設定情報を受信した場合、前記受信部で受信した前記共通設定情報と前記共通設定情報記憶部に記憶された前記共通設定情報の中で、含まれる前記更新情報を比較することによりどちらが後に更新されたものであるかを判断する判断部と、
前記判断部が前記受信部で受信した前記共通設定情報の方が後に更新されたものであると判断した場合、前記共通設定情報記憶部に記憶された前記共通設定情報を、前記受信部で受信した前記共通設定情報に更新する情報更新部とをさらに備える、情報通信機器。
【発明の詳細な説明】
【技術分野】
【０００１】
本発明は、電話システムに関し、特に、親機と子機を備え、親機における設定の変更を確実に子機に伝えることのできる電話システム、その制御方法、および、情報通信機器に関するものである。
【背景技術】
【０００２】
従来から提案されている電話システムでは、親機と子機とによって、種々の情報が共通して設定され、当該共通して設定される情報（以下、「共通設定情報」と呼ぶ）は、たとえばシステムにおいて子機が増設される等の場合、当該増設された子機の識別情報の追加等により、変更される。このような、電話システムでの共通設定情報の、各機器（親機および子機）における更新態様について、種々、技術が開示されている。
【０００３】
たとえば、特許文献１には、共通設定情報としてカレンダ情報が取り扱われている技術が開示されている。具体的には、特許文献１には、コードレス電話装置において、親機で発生するカレンダ情報が子機へと送信され、そして、子機において、受信したカレンダ情報に基づいて当該子機において発生されるカレンダ情報が修正される技術が開示されている。
【０００４】
また、特許文献２には、複数の子機を含むコードレス電話システムにおいて、１台目の子機において登録された情報が、２台目以降の子機には子機間の通信で登録される技術が開示されている。
【０００５】
また、特許文献３には、親機と複数の子機を含む通信装置において、親機が、ある子機に送信すべき情報を当該或る子機に送信しようとしたときに、当該或る子機に対してデータの送信が不可能であった場合、他の子機に当該情報を送信し、そして、当該他の子機が上記の或る子機に当該情報を送信する技術が開示されている。
【０００６】
また、特許文献４には、親機と子機とで構成されるデータ処理装置において、親機から子機へ、自動的に、データ（上記の共通設定情報に対応するものを含む）が送信される技術が開示されている。
【特許文献１】特開平６−１２０８８１号公報
【特許文献２】特開平８−９４６５号公報
【特許文献３】特開平１１−２７４０６号公報
【特許文献４】特開平１１−１７５３８４号公報
【発明の開示】
【発明が解決しようとする課題】
【０００７】
しかしながら、従来の電話システムでは、親機や子機という複数の機器が含まれるが、共通設定情報の更新に際して、共通設定情報の送信側となる機器と受信側となる機器とが固定されていた。このため、受信側の機器が送信側の機器と通信ができない場合、当該受信側の機器は、当該電話システム内の、送信側の機器以外の機器と通信が可能であっても、送信側の機器と通信ができなければ、最新の共通設定情報を受信することができなかった。
【０００８】
このような不都合を回避するために、各機器を、最新の共通設定情報を早期にかつ確実に受信するために、そのための操作（たとえば、親機等に対して最新の共通設定情報の送信を要求するための操作）に基づいて最新の共通設定情報を受信するように構成することが考えられる。しかしながら、これでは、ユーザが当該操作を必要とされるという不都合が生じる。
【０００９】
本発明は、かかる実情に鑑み考え出されたものであり、その目的は、電話システムにおいて、共通設定情報の更新があった場合に、当該共通設定情報の更新があった時点で当該電話システム内の他の機器と通信ができなかった機器において、早期に、かつ、特別な操作を必要とすることなく、共通設定情報が更新されることを可能とすることである。
【課題を解決するための手段】
【００１０】
本発明に従った電話システムは、電話機能を有する複数の機器を備える電話システムであって、各前記機器は、前記電話システムにおいて前記機器を識別する情報を含む共通設定情報を記憶する共通設定情報記憶部を含み、前記共通設定情報は、当該共通設定情報が更新された時刻または回数を特定する情報である更新情報を含み、各前記機器は、前記電話システム内の他の機器に情報を送信する際に、前記共通設定情報を添付して送信する情報送信部と、前記共通設定情報を受信する受信部と、前記受信部が前記共通設定情報を受信した場合、前記受信部で受信した前記共通設定情報と前記共通設定情報記憶部に記憶された前記共通設定情報の中で、含まれる前記更新情報を比較することによりどちらが後に更新されたものであるかを判断する判断部と、前記判断部が前記受信部で受信した前記共通設定情報の方が後に更新されたものであると判断した場合、前記共通設定情報記憶部に記憶された前記共通設定情報を、前記受信部で受信した前記共通設定情報に更新する情報更新部とをさらに含むことを特徴とする。
【００１１】
また、本発明に従った電話システムでは、前記情報送信部は、前記判断部が前記共通設定情報記憶部に記憶された前記共通設定情報の方が後に更新されたと判断した場合、前記受信部が前記共通設定情報を受信した相手の機器に、前記共通設定情報記憶部に記憶された前記共通設定情報を送信することが好ましい。
【００１２】
また、本発明に従った電話システムでは、前記情報送信部は、前記電話システム内の他の機器の呼び出しの際に、呼び出す側の機器を識別する情報および呼び出される側の機器を識別する情報に、前記共通設定情報を添付して、送信することが好ましい。
【００１３】
また、本発明に従った電話システムでは、前記複数の機器は、親機と子機からなり、前記親機は、前記共通設定情報を更新する情報更新部を含むことが好ましい。
【００１４】
また、本発明に従った電話システムでは、前記情報更新部は、前記電話システムに新たな子機が追加される際に、当該新たな子機を識別する情報を追加するように、前記共通設定情報を更新することが好ましい。
【００１５】
本発明に従った電話システムの制御方法は、電話機能を有する複数の機器を備える電話システムの制御方法であって、各前記機器に、前記電話システムにおいて前記機器を識別する情報を含む情報であって、当該情報が更新された時刻または回数を特定する情報である更新情報を含む情報である、共通設定情報を記憶させるステップと、各前記機器に、前記共通設定情報を受信させるステップと、各前記機器に、受信させた前記共通設定情報と記憶させた前記共通設定情報の中で、含まれる前記更新情報を比較させることによりどちらが後に更新されたものであるかを判断させるステップと、各前記機器に、受信させた前記共通設定情報の方が後に更新されたものであると判断した場合、記憶させた前記共通設定情報を、受信させた前記共通設定情報に更新させるステップとを備えることを特徴とする。
【００１６】
本発明に従った情報通信機器は、電話システムを構成し、当該電話システムを構成する他の機器と通信可能な情報通信機器であって、前記電話システムにおいて前記機器を識別する情報を含む共通設定情報を記憶する共通設定情報記憶部を備え、前記共通設定情報は、当該共通設定情報が更新された時刻または回数を特定する情報である更新情報を含み、前記電話システム内の他の機器に情報を送信する際に、前記共通設定情報を添付して送信する情報送信部と、前記共通設定情報を受信する受信部と、前記受信部が前記共通設定情報を受信した場合、前記受信部で受信した前記共通設定情報と前記共通設定情報記憶部に記憶された前記共通設定情報の中で、含まれる前記更新情報を比較することによりどちらが後に更新されたものであるかを判断する判断部と、前記判断部が前記受信部で受信した前記共通設定情報の方が後に更新されたものであると判断した場合、前記共通設定情報記憶部に記憶された前記共通設定情報を、前記受信部で受信した前記共通設定情報に更新する情報更新部とをさらに備えることを特徴とする。
【発明の効果】
【００１７】
本発明によると、電話システムの各機器において、相手から送信されてくる共通設定情報が自己で記憶している共通設定情報とが比較され、送信されてきた共通設定情報が記憶している共通設定情報よりも後で更新された場合には、共通設定情報の更新がなされる。これにより、電話システムにおいて、或る機器で共通設定情報の更新が行なわれる際に、共通設定情報が、他の情報に添付されて送信されることになるため、最新の共通設定情報を送信してくれる相手の機器が限定されず、さらに、当該或る機器において共通設定情報の送信を要求するための特別な操作を必要とされない。なお、本発明では、共通設定情報に更新情報が含まれるため、当該更新情報に基づいて、複数の共通設定情報の中でどちらが後に更新されたか等の判断が可能になる。
【００１８】
したがって、本発明によると、電話システムにおいて、共通設定情報の更新があった場合に、当該共通設定情報が更新された時点で他の機器と通信ができなかった機器において、早期に、かつ、特別な操作を必要とされることなく、共通設定情報が更新されるようになる。
【発明を実施するための最良の形態】
【００１９】
以下、本発明の電話システムの一実施の形態であるデジタルコードレス電話セット（以下、単に電話セットと呼ぶ）について、図面を参照しつつ説明する。
【００２０】
［システム構成の説明］
図１は、本実施の形態の電話セットのシステム構成を模式的に示す図である。
【００２１】
本実施の形態の電話セットには、公衆回線（Ｌｉｎｅ１，Ｌｉｎｅ２）に接続された親機１００と、当該親機１００と無線により通信しかつ親機１００を介して公衆回線に接続される子機２１０〜２６０とが含まれる。親機１００と子機２１０〜２６０は、ＩＮＴＥＲＣＯＭによる通話が可能である。なお、図１に示されるように、本実施の形態では、電話セットには、１台の親機１００と、６台の子機２１０〜２６０とが含まれるが、本発明に従った電話セットに含まれる親機および子機の数は、これらに限定されない。
【００２２】
図２は、図１に示した親機１００と子機２１０の構成を模式的に示す図である。具体的には、図２（Ａ）は、親機１００の構成を示す図であり、図２（Ｂ）は、子機２１０の構成を示す図である。なお、子機２２０〜２６０は、特記する部分を除いては、子機２１０と同様の構成を有するものとする。
【００２３】
親機１００は、外部のＰＳＴＮ（Public Switched Telephone network）の２つライン（Ｌｉｎｅ１，Ｌｉｎｅ２）それぞれに接続されるラインジャック１０４Ａ，１０４Ｂ、電話回線１０１Ａ，１０１Ｂ、および、ＲＦ（Radio Frequency）制御部１０２Ａ，１０２Ｂを備えている。また、親機１００は、さらに、システム情報記憶エリア１０３Ａ，１０３Ｂ、共通設定情報比較・更新部１０５、ＲＦ発信ユニット１０７、アンテナ１０８、および、付加機能部１１０を備えている。
【００２４】
システム情報記憶エリア１０３Ａ，１０３Ｂは、それぞれ、ＲＦ制御部１０２Ａ，１０２Ｂに接続されている。システム情報記憶エリア１０３Ａ，１０３Ｂには、本実施の形態の電話セットを構成する各機器の、当該電話セットにおいて割り当てられたSystem IDを含む共通設定情報が記憶されている。なお、共通設定情報では、子機２１０〜２６０の各System IDは、各子機に対して設定された番号（ＨＳ1，ＨＳ２，ＨＳ3，…）に関連付けられている。
【００２５】
ＲＦ制御部１０２Ａ，１０２Ｂは、それぞれ、子機２１０〜２６０との間でＩＮＴＥＲＣＯＭ通信を行なうための制御動作を実行する。ＲＦ制御部１０２Ａ，１０２ＢがＩＮＴＥＲＣＯＭ通信を行なう際には、ＲＦ発信ユニット１０７およびアンテナ１０８を介して、子機２１０〜２６０との間で、情報の送受信がなされる。ＲＦ制御部１０２ＡとＲＦ制御部１０２Ｂの間には、マスター−スレーブの関係があり、ＲＦ制御部１０２Ａがマスター側である。なお、共通設定情報には、当該共通設定情報が更新された時刻を特定するための情報（更新時間ＩＮＤＥＸ）が含まれる。
【００２６】
付加機能部１１０は、スピーカーホンや受話器を有する電話機能部１１１に加え、ファクシミリ機能部１１２および留守録機能部１１３を備えている。ファクシミリ機能部１１２は、ＰＳＴＮのラインを介して受信したファクシミリデータを印字出力したり、ファクシミリデータを電話回路１０１Ａまたは１０１Ｂを介してＰＳＴＮのラインに送出する機能を有する。また、留守録機能部１１３は、図示しない記録媒体を有し、当該記録媒体に、不在時にＰＳＴＮのラインから受信した音声情報またはデータなどを書込み蓄積する機能を有する。留守録機能部１１３は、所定の操作がなされることにより、蓄積された音声情報またはデータを読み出して再生し出力する機能を有する。電話機能部１１１は、ＰＳＴＮのラインを介した外部装置との通話または子機２１０〜２６０との通話のための機能を有する。なお、本発明に従った電話システムの親機に備えられる付加機能は、これらに限定されない。
【００２７】
共通設定情報比較・更新部１０５は、他の機器から共通設定情報を受信された際に、当該共通設定情報の更新時間ＩＮＤＥＸとシステム情報記憶エリア１０３Ａ，１０３Ｂに記憶された共通設定情報の更新時間ＩＮＤＥＸとを、または、システム情報記憶エリア１０３Ａに記憶された共通設定情報の更新時間ＩＮＤＥＸとシステム情報記憶エリア１０３Ｂに記憶された共通設定情報の更新時間ＩＮＤＥＸとを、比較し、さらに、その比較結果に基づいて、必要と判断された場合には共通設定情報の更新を行なう。この場合の比較や判断の内容については、後述する。
【００２８】
子機２１０は、マイクロコンピュータを備え、当該子機２１０の動作を全体的に制御する、制御部２１４を備える。また、子機２１０は、親機のＲＦ制御部１０２Ａ，１０２ＢとＩＮＴＥＲＣＯＭ通信を行なうための制御動作を実行するＲＦ制御部２１２と、共通設定情報比較・更新部２１５と、自機のSystem IDを記憶する自機System ID記憶部２１９と、システム情報記憶エリア２１３と、ＲＦ発信ユニット２１７と、アンテナ２１８とを備えている。システム情報記憶エリア２１３には、システム情報記憶エリア１０３Ａ，１０３Ｂと同様に、共通設定情報が記憶されている。また、子機２２０〜２６０にも、同様のシステム情報記憶エリアが設けられており、各当該システム情報記憶エリアには、同様の共通設定情報が記憶されている。さらに、子機２２０〜２６０には、自機System ID記憶部２１９と同様に、自機のSystem IDを記憶する自機System ID記憶部が備えられている。
【００２９】
［システムに子機が追加される際の処理］
次に、本実施の形態の電話セットにおいて子機が追加される際の処理について、説明する。まず、図３に、子機が追加される前の状態のシステム構成として、１台の親機１００と５台の子機２１０〜２５０とによって構成される電話システムを模式的に示す。
【００３０】
図３では、親機１００と通信可能な範囲、つまり、親機１００との間でＲＦ通信を行なうことができる物理的範囲が、一点鎖線で示されている。
【００３１】
また、図３では、親機１００と子機２１０〜２５０のそれぞれについて、システム情報記憶エリアに記憶されている共通設定情報の内容が示されている。各共通設定情報では、更新ＩＮＤＥＸが「００００００」とされ、親機１００のSystem IDが「ＸＸＸＸＸＸ」とされ、子機２１０（番号「ＨＳ１」に対応する子機）のSystem IDが「ＡＡＡＡＡＡ」とされ、子機２２０（番号「ＨＳ２」に対応する子機）のSystem IDが「ＢＢＢＢＢＢ」とされ、子機２３０（番号「ＨＳ３」に対応する子機）のSystem IDが「ＣＣＣＣＣＣ」とされ、子機２４０（番号「ＨＳ４」に対応する子機）のSystem IDが「ＤＤＤＤＤＤ」とされ、そして、子機２５０（番号「ＨＳ５」に対応する子機）のSystem IDが「ＥＥＥＥＥＥ」とされている。
【００３２】
さらに、図３では、子機２１０〜２５０のそれぞれについて、自機System ID記憶部の記憶内容が示されている。
【００３３】
ここで、電話システムにおいて、子機２１０が親機通信可能範囲の外に位置し、子機２２０，２４０，２５０は親機通信可能範囲内で電源ＯＮされ通信可能な状態とされ、そして、子機２３０の電源がＯＦＦされている状態を考える。つまり、子機２２０，２４０，２５０は親機１００と通信可能であるが、子機２１０，２３０は親機１００と通信できない状態を考える。
【００３４】
この状態で、図４に示されるように、電話システムに、６台目の子機である子機２６０が追加されたとする。
【００３５】
子機２６０が追加される際、子機２６０に対してユーザが電話システムに追加させるための操作を行なうと、当該操作に基づいて、子機２６０は、矢印Ｄ１で示されるように、親機１００との間で通信する。この際の通信では、まず、子機２６０から親機１００に、自機を電話システムに追加することを要求する情報を送信する。これに応じて、親機１００は、子機２６０を電話システムに追加させるために、共通設定情報を、子機２６０のための子機番号（本実施の形態では、「ＨＳ６」と記載）を新たに定義し、さらに、定義された子機番号に対して子機２６０のためのSystem ID（本実施の形態では、「ＦＦＦＦＦＦ」と記載）を追加するように、更新する。また、このような更新の際には、親機１００は、更新時間ＩＮＤＥＸの値を１加算更新する。これにより、たとえば、それまでの更新時間ＩＮＤＥＸが「００００００」であれば、更新時間ＩＮＤＥＸの値は「０００００１」に更新される。
【００３６】
このような共通設定情報の更新を行なった後、親機１００は、矢印Ｄ２で示されるように、子機２１０〜２６０に対して、更新後の共通設定情報を送信する。なお、図４に示された状態では、図３に示された状態と同様に、子機２１０と子機２３０とが一時的に親機１００と通信ができない状態とされている。したがって、図４に示された状態では、親機１００は、矢印Ｄ２として、子機２２０，２４０，２５０，２６０に、更新された共通設定情報を送信できる。これにより、子機２２０，２４０，２５０，２６０では、共通設定情報が、更新時間ＩＮＤＥＸ「０００００１」のものに、つまり、子機２６０の情報を含むものに更新されるが、子機２１０，２３０では、共通設定情報が、更新ＩＮＤＥＸ「００００００」のままとなっている。
【００３７】
その後、図５に示されるように、子機２１０が親機通信可能範囲内に移動し、また、子機２３０が親機通信可能範囲内で電源をＯＮされることにより、子機２１０，２３０が、それぞれ、親機１００および／または子機２２０，２４０，２５０，２６０と通信可能な状態となると、子機２１０，２３０は、それぞれ、親機１００または子機２２０，２４０，２５０，２６０との通信の際に、共通設定情報の送受信を行なうことにより、自機に記憶されるものより後に更新された共通設定情報を受信し、そして、自機に記憶された共通設定情報をより後に更新されたものに更新する。
【００３８】
親機１００と子機２１０〜２６０の通信において、または、子機２１０〜２６０の中の子機同士の通信において、共通設定情報は、たとえば、呼び出しの際に送信される。具体的には、呼び出しの際に、呼び出す側の端末から、当該呼び出す側のSystem IDと、呼び出される側のSystem IDとともに、共通設定情報が送信される。
【００３９】
子機２１０〜２６０では、共通設定情報を受信した場合、当該受信した共通設定情報と、それまで記憶している共通設定情報とについて、どちらが後に更新されたものかが比較される。そして、比較の結果、受信した共通設定情報の方が後に更新されたものであると判断されると、それまで記憶していた共通設定情報が、受信した共通設定情報に更新される。このような、子機２１０〜２６０における共通設定情報を受信した際の処理について、図６を参照してさらに詳細に説明する。図６は、共通設定情報を受信した際に実行される処理（共通設定情報受信処理）のフローチャートである。なお、共通設定情報受信処理は、図４において矢印Ｄ２で示されたような場合にも、実行される。
【００４０】
まず、子機２１０〜２６０では、ステップＳ１（以下、「ステップ」を省略する）で、共通設定情報を受信したか否かが判断される。そして、共通設定情報を受信したと判断されると、Ｓ２に処理が進められる。
【００４１】
Ｓ２では、受信した共通設定情報の更新時間ＩＮＤＥＸと、すでにシステム情報記憶エリアに記憶している共通設定情報の更新時間ＩＮＤＥＸとが比較される。
【００４２】
次に、Ｓ３で、Ｓ２の比較の結果、更新時間ＩＮＤＥＸの値（「００００００」等の値）が異なるかどうかが判断される。そして、異なると判断されると、Ｓ４に処理が進められ、同じであると判断されると、Ｓ１に処理が戻されて次回共通設定情報が受信されるのを待つ。
【００４３】
Ｓ４では、受信した共通設定情報の更新時間ＩＮＤＥＸの方が、すでにシステム情報記憶エリアに記憶している共通設定情報の更新時間ＩＮＤＥＸよりも新しいかどうか、つまり、値が大きいかどうかが判断され、そうであれば、Ｓ５に処理が進められる。逆に、すでにシステム情報記憶エリアに記憶している共通設定情報の更新時間ＩＮＤＥＸの方が、受信した共通設定情報の更新時間ＩＮＤＥＸよりも新しいと判断されれば、Ｓ６に処理が進められる。
【００４４】
つまり、Ｓ４では、たとえば、図４に示された子機２２０から（電源がＯＮされた後の）子機２３０に共通設定情報が送信された場合、子機２３０の受信する共通設定情報の更新時間ＩＮＤＥＸの値は「０００００１」であり、すでに子機２３０のシステム情報記憶エリアに記憶されている共通設定情報の更新時間ＩＮＤＥＸの値は「００００００」であるため、このような場合には、Ｓ５に処理が進められる。逆に、子機２３０から子機２２０に共通設定情報が送信された場合、子機２２０の受信する共通設定情報の更新時間ＩＮＤＥＸの値が「００００００」であり、すでに子機２２０のシステム情報記憶エリアに記憶されている共通設定情報の更新時間ＩＮＤＥＸの値は「０００００１」であるため、このような場合には、Ｓ６に処理が進められる。
【００４５】
そして、Ｓ５では、システム情報記憶エリアの共通設定情報が、受信された共通設定情報に更新されて、Ｓ１に処理が戻される。
【００４６】
一方、Ｓ６では、今回、共通設定情報を送信してきた相手に対して、自機のシステム情報記憶エリアに記憶している共通設定情報が送信された後、Ｓ１に処理が戻される。
【００４７】
以上説明した本実施の形態では、共通設定情報に含まれる更新時間ＩＮＤＥＸによって、当該共通設定情報が更新された時刻または回数を特定する情報である更新情報が更新されている。なお、更新時間ＩＮＤＥＸは、上記した本実施の形態では、更新回数を表すようなものとされているが、共通設定情報の更新時刻（更新された日時）を特定する情報、または、具体的に更新時刻そのものによって構成されても良い。
【００４８】
また、上記した本実施の形態では、親機１００において、マスター側のＲＦ制御部１０２Ａとスレーブ側のＲＦ制御部１０２Ｂとが備えられている。そして、子機２６０の追加の際の通信（図４において矢印Ｄ１で示された通信）は、子機２６０と、ＲＦ制御部１０２ＡまたはＲＦ制御部１０２Ｂのいずれか一方との間で行なわれる。これにより、子機２６０と通信を行なった方のＲＦ制御部に接続されたシステム情報記憶エリア、つまり、システム情報記憶エリア１０３Ａ，１０３Ｂのいずれか一方が、先に、共通設定情報を更新される。そして、このような場合、上記したいずれか一方のＲＦ制御部は、他方側のＲＦ制御部に対して、更新後の共通設定情報を送信する。これに応じて、共通設定情報を受信した側のＲＦ制御部は、当該ＲＦ制御部に接続されているシステム情報記憶エリアにおける共通設定情報を受信したものに更新する。
【００４９】
また、上記した本実施の形態では、共通設定情報の更新として、子機が追加される例を示したが、本発明が適用される電話システムにおける共通設定情報の更新は、このようなものに限定されない。電話システムにおける共通設定情報が更新される内容としては、他に、子機番号（ＨＳ１等）の割り当ての変更や、子機番号に対応した表示内容（子機番号とその子機を持つ人の名前を登録し、呼び出し時の子機選択の際に表示させたりする内容）の変更、言語選択の変更、回線選択方法の変更が考えられる。回線選択方法の変更とは、親機１００がＬＩＮＥ１，ＬＩＮＥ２というように複数の回線に接続されるような場合、発呼する際に空いている回線を自動で選択する方法と、ＬＩＮＥを指定（ＬＩＮＥ１かＬＩＮＥ２にいずれかを指定）する方法との間で、回線選択方法を変更することを言う。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５１】
【図１】本実施の形態の電話システムの一実施の形態であるデジタルコードレス電話セットのシステム構成を模式的に示す図である。
【図２】図１に示した親機と子機の構成を模式的に示す図である。
【図３】図１の電話セットについて、１台の親機と５台の子機とによって構成される電話システムを模式的に示す図である。
【図４】図３に示された電話システムに、６台目の子機が追加された状態を示す図である。
【図５】図４に示された電話システムで、一時的に親機および／または子機と通信不可能な状態にあった子機が、親機および／または子機と通信可能な状態になったことを示す図である。
【図６】図１の電話セットの子機において、共通設定情報を受信した際に実行される処理のフローチャートである。
【符号の説明】
【００５２】
１００  親機、１０１Ａ，１０１Ｂ  電話回路、１０２Ａ，１０２Ｂ  ＲＦ制御部、１０３Ａ，１０３Ｂ，２１３  システム情報記憶エリア、１０４Ａ，１０４Ｂ  ラインジャック、１０５，２１５  共通設定情報比較・更新部、１０７，２１７  ＲＦ発信ユニット、１０８，２１８  アンテナ、１１０  付加機能部、１１１  電話機能部、１１２  ファクシミリ機能部、１１３  留守録機能部、２１０〜２６０  子機、２１４  制御部、２１９  自機System ID記憶部。
【図１】
2005318424.tif 000003
【図２】
2005318424.tif 000004
【図３】
2005318424.tif 000005
【図４】
2005318424.tif 000006
【図５】
2005318424.tif 000007
【図６】
2005318424.tif 000008